(57)【特許請求の範囲】
【請求項１】
無線通信網内の機器に対して可変ビットレート（ＶＢＲ）情報チャネル時間を割り当てる方法において、
前記ＶＢＲ情報チャネル時間の要求を受信したとき、未割当てチャネル時間が前記ＶＢＲ情報チャネル時間を割り当てるのに充分に大きいか否かを判断する段階と、
前記未割当てチャネル時間の一部に前記ＶＢＲ情報チャネル時間を割り当てる段階と、を有し、
前記機器から受信した前記要求は、前記機器のＶＢＲ情報最大チャネル時間及びＶＢＲ情報最小チャネル時間を含む、チャネル時間割当て方法。
【請求項２】
前記判断する段階は、
前記機器の前記ＶＢＲ情報最大チャネル時間を割り当てるのに前記未割当てチャネル時間が十分か判断する段階と、
前記未割当てチャネル時間が前記ＶＢＲ情報最大チャネル時間を割り当てるのに充分に大きくないとき、前記未割当てチャネル時間が前記ＶＢＲ情報最大チャネル時間及び前記ＶＢＲ情報最小チャネル時間の間のチャネル時間を割り当てるのに十分か判断する段階と、
をさらに含む、請求項１記載のチャネル時間割当て方法。
【請求項３】
前記判断する段階は、
前記ＶＢＲ情報最小チャネル時間を割り当てるのに前記未割当てチャネル時間が十分か判断する段階と、
前記未割当てチャネルが前記ＶＢＲ情報最小チャネル時間を割り当てるのに十分ではないとき、前記機器の前記要求を拒否する段階と、
をさらに含む、請求項１記載のチャネル時間割当て方法。
【請求項４】
無線通信網内の機器に対して可変ビットレート（ＶＢＲ）情報チャネル時間を割り当てる方法において、
第１未割当てチャネル時間内に第１機器に対する第１ＶＢＲ情報チャネル時間を割り当てる段階と、
第２ＶＢＲ情報チャネル時間の要求を第２機器から受信したとき、 第２未割当てチャネル時間が前記第２ＶＢＲ情報チャネル時間を割り当てるのに充分に大きいか否かを判断する段階と、
前記第２未割当てチャネル時間の一部に前記第２機器のための前記第２ＶＢＲ情報チャネル時間を割り当てる段階と、を有し、
前記第２未割当てチャネル時間は、第１未割当てチャネル時間内に前記第１ＶＢＲ情報チャネル時間を割り当てた後に残った未割当てチャネル時間とし、
前記第２機器から受信した前記要求は、第２ＶＢＲ情報最大チャネル時間及び第２ＶＢＲ情報最小チャネル時間を含む、チャネル時間割当て方法。
【請求項５】
前記判断する段階は、
前記第２未割当てチャネル時間が前記第２ＶＢＲ情報最大チャネル時間を割り当てるのに十分か判断する段階と、
前記未割当てチャネルが前記第２ＶＢＲ情報最大チャネル時間を割り当てるのに十分ではないとき、前記第２未割当てチャネル時間が前記第２ＶＢＲ情報最小チャネル時間及び前記第２ＶＢＲ情報最大チャネル時間の間のチャネル時間を割り当てるのに十分か判断する段階と、
をさらに含む、請求項４記載のチャネル時間割当て方法。
【請求項６】
前記判断する段階は、
前記第２ＶＢＲ情報最小チャネル時間を割り当てるのに前記第２未割当てチャネル時間が十分か判断する段階と、
前記第２未割当てチャネル時間が前記第２ＶＢＲ情報最小チャネル時間を割り当てるのに十分ではないとき、前記第２ＶＢＲ情報最小チャネル時間を割り当てることができるように前記第１ＶＢＲ情報チャネル時間を調整する段階と、
をさらに含む、請求項４記載のチャネル時間割当て方法。
【請求項７】
前記調整する段階は、
あらかじめ割り当てられた第１ＶＢＲ情報チャネル時間を、前記第１ＶＢＲ情報最小チャネル時間に減らす段階をさらに含む、請求項６記載のチャネル時間割当て方法。
【請求項８】
前記判断する段階は、
前記第２ＶＢＲ情報最小チャネル時間を割り当てるのに前記第２未割当てチャネル時間が十分か判断する段階と、
前記第２未割当てチャネル時間が前記第２ＶＢＲ情報最小チャネル時間を割り当てるに十分ではないとき、前記第２機器の前記要求を拒否する段階と、
をさらに含む、請求項４記載のチャネル時間割当て方法。
【請求項９】
無線通信網内の機器でデータを処理する方法において、
前記無線通信網上で送信される可変ビットレート（ＶＢＲ）情報チャネル時間をコーディネータに要求する段階と、
前記コーディネータから前記ＶＢＲ情報チャネル時間のための時間割当て情報を受信する段階と、
前記ＶＢＲ情報チャネル時間に他の機器とデータ通信する段階と、を有し、
前記ＶＢＲ情報チャネル時間は、前記コーディネータが、未割当てチャネル時間が前記ＶＢＲ情報チャネル時間を割り当てるのに充分に大きいか判断した後、前記未割当てチャネル時間の一部に割り当てられ、
前記ＶＢＲ情報チャネル時間の前記要求は、ＶＢＲ情報最大チャネル時間及びＶＢＲ情報最小チャネル時間を含む、データ処理方法。
【請求項１０】
前記ＶＢＲ情報チャネル時間は、前記ＶＢＲ情報最大チャネル時間とする、請求項９記載のデータ処理方法。
【請求項１１】
前記ＶＢＲ情報チャネル時間は、前記ＶＢＲ情報最大チャネル時間及び前記ＶＢＲ情報最小チャネル時間の間のチャネル時間とする、請求項９記載のデータ処理方法。
【請求項１２】
無線通信網内の機器でデータを処理する方法において、
前記無線通信網上で送信される第１可変ビットレート（ＶＢＲ）情報チャネル時間をコーディネータに要求する段階と、
前記コーディネータから、前記第１ＶＢＲ情報チャネル時間に対する割当て拒否メッセージを受信する段階と、
前記機器の前記第１ＶＢＲ情報チャネル時間を調整する段階と、
前記調整されたチャネル時間を基準として第２ＶＢＲ情報チャネル時間を前記コーディネータに要求する段階と、を有し、
前記割当て拒否メッセージは、未割当てチャネル時間が前記要求された第１ＶＢＲ情報チャネル時間を割り当てるのに充分に大きくないときに生成され、
前記第２ＶＢＲ情報チャネル時間の前記要求は、第２ＶＢＲ情報最大チャネル時間及び第２ＶＢＲ情報最小チャネル時間を含む、データ処理方法。
【請求項１３】
無線通信網内のデータを処理するための装置において、
外部機器からデータを受信し、前記外部機器にデータを送信する通信モジュールと、
可変ビットレート（ＶＢＲ）情報チャネル時間の要求を受信するように前記通信モジュールを制御し、
未割当てチャネル時間が前記ＶＢＲ情報チャネル時間を割り当てるのに充分に大きいか否かを判断し、
前記未割当てチャネル時間の一部に前記ＶＢＲ情報チャネル時間を割り当てる、コントローラと、を備え、
前記の受信した要求は、前記外部機器のＶＢＲ情報最大チャネル時間及びＶＢＲ情報最小チャネル時間を含む、データを処理するための装置。
【請求項１４】
前記コントローラは、前記割り当てられたＶＢＲチャネル時間を送信するように前記通信モジュールをさらに制御する、請求項１３記載のデータを処理するための装置。
【請求項１５】
無線通信網内のデータを処理するための装置において、
少なくとも一つの外部機器及びコーディネータからデータを受信し、前記少なくとも一つの外部機器及び前記コーディネータにデータを送信する通信モジュールと、
ＶＢＲ情報チャネル時間を前記コーディネータに要求し、
前記コーディネータから前記ＶＢＲチャネル時間に係わる割当て情報を受信するように前記通信モジュールを制御し、
前記ＶＢＲチャネル時間に少なくとも一つの外部機器とデータ通信するように前記通信モジュールを制御する、コントローラと、を備え、
前記ＶＢＲ情報チャネル時間の前記要求は、ＶＢＲ情報最大チャネル時間及びＶＢＲ情報最小チャネル時間を含む、データを処理するための装置。
【請求項１６】
前記ＶＢＲ情報チャネル時間は、前記コーディネータが、未割当てチャネル時間が前記ＶＢＲ情報チャネル時間を割り当てるのに十分か判断した後、前記未割当てチャネル時間の一部に割り当てられる、請求項１５記載のデータを処理するための装置。
【発明の詳細な説明】
【技術分野】
【０００１】
本発明は、ビーコンタイムスロット内に存在する未割当てチャネル時間に可変ビットレート情報（traffic）を割り当てる方法、データ処理のための方法及びその装置に関する。
【背景技術】
【０００２】
ミリ波（mmWave）は、大容量データ送信のために物理的な波長の長さがミリメートルである搬送波を利用する。従来、このような周波数帯は免許不要帯域（unlicensed band）として通信サービス用、電波天文用、又は車両衝突防止などの用途で限定的に使われてきた。
【０００３】
ミリメートル単位の波長を有する高周波信号を利用すれば、数ギガビット台の非常に高い伝送レートを提供することができる。ミリ波送信器、受信機、プロセッサ及びアンテナは単一チップ上に具現できる。上記アンテナは１．５ｍｍ以下の大きさにできる。また、空気中の減衰率が非常に高いため、機器間干渉を減少させることができる長所もある。
【０００４】
一般的に、通信情報は一定データレートでデータを伝送する固定ビットレート（ＣＢＲ）と可変的なデータレートでデータを伝送する可変ビットレート（ＶＢＲ）に分けることができる。
【０００５】
ＣＢＲ情報の場合には一定のデータレートを有するので、通信網上のＣＢＲ情報を予測するのは容易である。しかし、ＶＢＲ情報の場合にはデータレートが可変であるので、ピークデータレートが存在する。したがってＶＢＲ情報は管理をうまく行わないと、データパケットが抜け落ちたり、ほかのデータ送信問題が発生したりする。
【０００６】
無線網上ではチャネル特性は不安定であるから、ＣＢＲ伝送を使用するのは実用的ではない。その代わり、無線チャネルにおける変動に対処するため、ＶＢＲ伝送が用いられる。したがって、無線網における性能を向上させるために、ＶＢＲ情報を収容することが重要である。
【０００７】
ＶＢＲ情報はＣＢＲ情報のように一定ではない。したがって、実際のデータレートが測定されると、平均データレートと比較される。実際のデータレートが平均データレートより大きいときは、超過したデータデータパケットはバッファされる。実際のデータレートが平均データレート以下に低下したとき、バッファに記憶されたデータパケットが送信される。
【０００８】
図１はＶＢＲ情報の特性を示す例示的なグラフである。図１を参照して、ＶＢＲ情報を送受信する部分に関連技術によってバッファが設けられる。そして各端点でのチャネル時間が平均スループットを基準にして決定される。
【０００９】
データを送信する場合、ＶＢＲ情報のデータレートが平均データレートを超過したときは、データはバッファに累積される。ＶＢＲ情報が平均ビットレート以下に低下したとき、バッファに累積されたデータが送信される。このようにして通信システムはＶＢＲ情報の送信に適応する。
【発明の概要】
【発明が解決しようとする課題】
【００１０】
そこで、本発明は、関連技術の制約及び欠点に起因する１又は複数の課題を実質的に解決する、可変ビットレート（ＶＢＲ）情報のためのチャネル時間を割当て方法と、データ処理装置と、データ処理方法と、に関する。
【００１１】
本発明は、ＶＢＲ情報のチャネル時間要求を考慮して未割当てチャネル時間を割り当てる可変ビットレート情報割当て方法を提供する。
【００１２】
さらに、本発明は以降に説明されるが、一部は説明から明白であり、また本発明を実施することによって分かるであろう。本発明の目的及びほかの利点は、本願明細書、特許請求の範囲及び添付の図面に特に記載された構造によって実現され、達成される。
【課題を解決するための手段】
【００１３】
上記課題を解決するために、本発明の一態様によれば、無線通信網において、機器に対する可変ビットレート情報のためのチャネル時間を割り当てる方法が提供される。上記方法は、上記ＶＢＲ情報のためのチャネル時間要求を受信したとき、未割当てチャネル時間が上記ＶＢＲチャネル時間を割り当てるのに充分に大きいか否かを判断する段階と、上記未割当てチャネル時間の一部に上記ＶＢＲ情報チャネル時間を割り当てる段階と、を含む。
【００１４】
本発明のほかの態様によると、無線通信網で機器に対する可変ビットレート情報のためのチャネル時間を割り当てる方法が提供される。上記方法は、第１未割当てチャネル時間内に第１機器に対する第１ＶＢＲ情報チャネル時間を割り当てる段階と、第２ＶＢＲ情報のための第２チャネル時間要求を第２機器から受信したとき、第２未割当てチャネル時間が上記第２ＶＢＲ情報チャネル時間を割り当てるのに充分に大きいか否かを判断する段階と、上記第２未割当てチャネル時間の一部に上記第２機器のための第２ＶＢＲ情報チャネル時間を割り当てる段階と、を含む。上記第２未割当てチャネル時間は、第１未割当てチャネル時間内に上記第１ＶＢＲ情報チャネル時間を割り当てた後に残っている未割当てチャネル時間である。
【００１５】
本発明のほかの態様によると、無線通信網の機器でデータを処理する方法が提供される。上記方法は、上記無線通信網上で伝送されるＶＢＲ情報のためのチャネル時間をコーディネータに要求する段階と、上記コーディネータから上記ＶＢＲ情報チャネル時間のための時間割当て情報を受信する段階と、上記ＶＢＲ情報チャネル時間にほかの機器とデータ通信する段階と、を含む。上記ＶＢＲ情報チャネル時間は、上記コーディネータが未割当てチャネル時間が上記ＶＢＲ情報のためのチャネル時間を割り当てするのに充分に大きいか判断した後、上記未割当てチャネル時間の一部に割り当てられる。
【００１６】
本発明のほかの態様によると、無線通信網の機器でデータを処理する方法が提供される。上記方法は、上記無線通信網上で伝送されるＶＢＲ情報のためのチャネル時間をコーディネータに要求する段階と、上記コーディネータから、上記ＶＢＲ情報チャネル時間に対する割当て拒否メッセージを受信する段階と、上記機器のＶＢＲ情報のためのチャネル時間を調整する段階と、上記調整されたチャネル時間によって上記ＶＢＲ情報のためのチャネル時間を上記コーディネータに要求する段階と、を含む。上記割当て拒否メッセージは、未割当てチャネル時間が上記要求されたチャネル時間を割り当てるのに充分に大きくない場合に生成される。
【００１７】
本発明のまたほかの態様によると、無線通信網上でデータを処理するための装置が提供される。上記装置は、外部機器からデータを受信し、上記外部機器にデータを伝送する通信モジュールと、ＶＢＲ情報のためのチャネル時間要求を受信するように上記通信モジュールを制御し、未割当てチャネル時間が上記ＶＢＲ情報のためのチャネル時間を割り当てるのに充分に大きいか否かを判断し、上記未割当てチャネル時間の一部に上記ＶＢＲ情報チャネル時間を割り当てするコントローラと、を含む。
【００１８】
本発明のまたほかの態様によると、無線通信網上でデータを処理するための装置が提供される。上記装置は、少なくとも一つの外部機器及びコーディネータからデータを受信し、上記少なくとも一つの外部機器及び上記コーディネータでデータを伝送する通信モジュールと、ＶＢＲ情報のためのチャネル時間要求を上記コーディネータに要求し、上記コーディネータから上記ＶＢＲチャネル時間に係わる割当て情報を受信するように上記通信モジュールを制御し、上記ＶＢＲチャネル時間に少なくとも一つの外部機器とデータ通信をするように上記通信モジュールを制御するコントローラと、を含む。
【００１９】
上記の一般的説明及び以降の詳細な説明は、例示的、説明的であって、本願の特許請求の範囲に記載された発明を更に説明するためのものであることを理解されたい。
【発明の効果】
【００２０】
本発明によると、ＶＢＲ情報のチャネル時間要求を考慮し未割当てチャネル時間を割り当てることで、ビーコン区間内の資源運用管理効率を確保することができる効果がある。
【００２１】
添付の図面は本発明を更に理解することを目的として本願の一部に組み入れられたものであり、本発明の実施例を例示し、本発明の原理を説明するものである。
【図面の簡単な説明】
【００２２】
【図１】ＶＢＲ情報の特性を示したグラフである。
【図２】本発明の実施例が適用される無線データ通信システムにおけるビーコン区間を示した図である。
【図３】本発明の一実施の形態によるＶＢＲ−ＭＡＸまでの情報を収容した場合を示した図である。
【図４】ＶＢＲ−ＭＡＸ以下のＶＢＲ−ｍｉｎのデータレートでデータ送信が許容された場合を示す図である。
【図５】要求された情報のＶＢＲ−ｍｉｎが、未割当てチャネル時間より大きい場合を示す図である。
【図６】多数の無線機器がＶＢＲ情報の送信を要求する場合を示す図である。
【図７】未割当てチャネル時間に二つの異なる情報が送信される過程を示す図である。
【図８】未割当てチャネル時間に二つの異なる情報が送信される過程を示す図である。
【図９】第２情報要求が拒否された場合を示す図である。
【図１０】本発明の一実施の形態によるコーディネータを示すブロック図である。
【図１１】本発明の一実施の形態による機器を示すブロック図である。
【発明を実施するための形態】
【００２３】
上述した技術的課題を解決するために、本発明の一実施例の態様によると、無線通信網において、機器に対する可変ビットレート情報のためのチャネル時間を割り当てる方法が提供される.上記方法は、上記ＶＢＲ情報のためのチャネル時間要求を受信したとき、未割当てチャネル時間が上記ＶＢＲチャネル時間を割り当てるのに充分に大きいか否かを判断する段階と、上記未割当てチャネル時間の一部に上記ＶＢＲ情報チャネル時間を割り当てる段階と、を含む。
【００２４】
本発明のほかの態様によると、無線通信網で機器に対する可変ビットレート情報のためのチャネル時間を割り当てる方法が提供される。上記方法は、第１未割当てチャネル時間内に第１機器に対する第１ＶＢＲ情報チャネル時間を割り当てる段階と、第２ＶＢＲ情報のための第２チャネル時間要求を第２機器から受信したとき、第２未割当てチャネル時間が上記第２ＶＢＲ情報チャネル時間を割り当てるのに充分に大きいか否かを判断する段階と、上記第２未割当てチャネル時間の一部に上記第２機器のための第２ＶＢＲ情報チャネル時間を割り当てる段階と、を含む。上記第２未割当てチャネル時間は、第１未割当てチャネル時間内に上記第１ＶＢＲ情報チャネル時間を割り当てた後に残っている未割当てチャネル時間である。
【００２５】
本発明のまたほかの態様によると、無線通信網の機器でデータを処理する方法が提供される。上記方法は、上記無線通信網上で伝送されるＶＢＲ情報のためのチャネル時間をコーディネータに要求する段階と、上記コーディネータから上記ＶＢＲ情報チャネル時間のための時間割当て情報を受信する段階と、上記ＶＢＲ情報チャネル時間にほかの機器とデータ通信する段階と、を含む。上記ＶＢＲ情報チャネル時間は、上記コーディネータが未割当てチャネル時間が上記ＶＢＲ情報のためのチャネル時間を割り当てるのに充分に大きいか判断した後、上記未割当てチャネル時間の一部に割り当てられる。
【００２６】
本発明のほかの態様によると、無線通信網の機器でデータを処理する方法が提供される。上記方法は、上記無線通信網上で伝送されるＶＢＲ情報のためのチャネル時間をコーディネータに要求する段階と、上記コーディネータから、上記ＶＢＲ情報チャネル時間に対する割当て拒否メッセージを受信する段階と、上記機器のＶＢＲ情報のためのチャネル時間を調整する段階と、上記調整されたチャネル時間によって上記ＶＢＲ情報のためのチャネル時間を上記コーディネータに要求する段階と、を含む。上記割当て拒否メッセージは、未割当てチャネル時間が上記要求されたチャネル時間を割り当てるのに充分に大きくない場合に生成される。
【００２７】
本発明のまたほかの態様によると、無線通信網上でデータを処理するための装置が提供される。上記装置は、外部機器からデータを受信し、上記外部機器データを伝送する通信モジュールと、ＶＢＲ情報のためのチャネル時間要求を受信するように上記通信モジュールを制御し、未割当てチャネル時間が上記ＶＢＲ情報のためのチャネル時間を割り当てるのに充分に大きいか否かを判断し、上記未割当てチャネル時間の一部に上記ＶＢＲ情報チャネル時間を割り当てるコントローラと、を含む。
【００２８】
本発明のほかの態様によると、無線通信網上でデータを処理するための装置が提供される。上記装置は、少なくとも一つの外部機器及びコーディネータからデータを受信し、上記少なくとも一つの外部機器及び上記コーディネータにデータを送信する通信モジュールと、ＶＢＲ情報のためのチャネル時間要求を上記コーディネータに要求して、上記コーディネータから上記ＶＢＲチャネル時間に係わる割当て情報を受信するように上記通信モジュールを制御し、上記ＶＢＲチャネル時間に少なくとも一つの外部機器とデータ通信をするように上記通信モジュールを制御するコントローラと、を含む。
【００２９】
上記の一般的説明及び以降の詳細な説明は、例示的、説明的であって、本願の特許請求の範囲に記載された発明を更に説明するためのものであることを理解されたい。
【００３０】
ここで本発明の実施例を詳細に参照し、その例が添付の図面に示されている。
【００３１】
次に述べる本発明の例示実施例は種々の形態に変更してもよく、本願の請求項及びその均等物を含む本発明の範囲は、次に説明する実施例に限定されるものではない。
【００３２】
無線通信網はコーディネータ及び少なくとも一つの機器を含むことができる。このような網は、必要によって、コーディネータ又は機器のいずれかとして動作することができる装置を備えることができる。上記無線網はコーディネータによって送信されるビーコン信号を使うことができる。上記ビーコン信号は、上記無線通信網の機器に対する制御情報と、タイミング情報と、状態情報と、を送信することができる。
【００３３】
上記ビーコン信号は、上記ビーコン信号及びそれに関連した情報を受信するための特定時間を機器に知らせるための指定されたタイムスロットを有する。ビーコン区間は一つのビーコン信号の開始時点と、次のビーコン信号との間の時間として定義される。
【００３４】
本実施例は、ビーコン区間内に存在する未割当てチャネル時間でＶＢＲ情報を割り当てる方法を提案する。ＶＢＲ情報のデータレートは一定値ではないので、最大データレート値及び最小データレート値が存在する。本実施例では、上記最大最小ＶＢＲデータレート値を基準として上記ビーコン区間内に未割当てチャネル時間を割り当てることができる。また二つの異なるＶＢＲデータ情報ストリームが送信されるとき、割当てられたチャネル時間に、それぞれのデータ情報ストリームの最大最小ＶＢＲデータレートを基準にして双方のＶＢＲデータ情報ストリームを搬送することができる。ビーコン区間ごとに未割当てチャネル時間のサイズが変わるので、これに対する情報を有するビーコン信号の信頼性ある伝送が重要である。等時性（Isochronous）情報の場合には所定数のビーコンをスキップしてもよいので、スキップすることができるビーコン数の上限を決めておく必要がある。
【００３５】
ＶＢＲデータ情報は可変ビットレートを有するので、ビットレートは固定値ではなく可変値である。ＶＢＲデータ情報には、最大最小ビットレートが存在する。最大値はＶＢＲ情報内のピークデータレートを示す。最小値は、ＶＢＲ情報内の最小データレートを示す。以降の説明では、最大ＶＢＲデータレートをＶＢＲ−ＭＡＸで表し、最小ＶＢＲデータレートをＶＢＲ−ｍｉｎで表す。
【００３６】
図２は本発明の実施例が適用される通信システムにおけるビーコン区間を示す図である。典型的なビーコン区間は、競合アクセス区間（contention access period;ＣＡＰ）及びチャネル時間割当て（ＣＴＡ）を含む。上記チャネル時間割当て（ＣＴＡ）はサービス区間（SP）と呼んでもよい。
【００３７】
図２は未割当てチャネル時間がある場合を示している。実際、未割当てチャネル時間はビーコン区間内のいくつかの箇所に存在することができる。例えばビデオ情報の場合には、ビデオフレームの固定のフレームレート及び走査レートのためにデータは本質的に周期的である。しかしデジタルビデオデータに用いられる種々の圧縮技術のために、各区間のデータ量は変化することがある。したがって未割当てチャネル時間は、各ビデオデータ要素の間に現われる。
【００３８】
上述のように未割当てチャネル時間が存在するとき、無線網機器は当該の未割当てチャネル時間の使用を要求することができる。このような要求は、上記未割当てチャネル時間に送信されるＶＢＲデータ情報に関するＶＢＲ−ＭＡＸ値及びＶＢＲ−ｍｉｎ値を含んでもよい。無線通信網コーディネータはＶＢＲ−ＭＡＸ値及びＶＢＲ−ｍｉｎ値によって要求された情報が未割当てチャネル時間で収容可能であるか否かを判断することができる。
【００３９】
図３は、本発明の一実施の形態によるVＢＲ−ＭＡＸまでの情報を収容した場合を示す。
【００４０】
図３を参照すれば、コーディネータに要求された情報のデータレートが既存の未割当てチャネル時間区間より小さいとき、ＶＢＲ−ＭＡＸでのデータ送信に対応する３１０で示された未割当てチャネル時間を使うことができる。このとき、未割当てチャネル時間は３１０で示された時間に減少する。
【００４１】
図４は、ＶＢＲ−ＭＡＸより低いＶＢＲ−ｍｉｎのデータレートでのデータ送信が許容された場合を示す。
【００４２】
図４を参照すると、未割当てチャネル時間はＶＢＲ−ｍｉｎより大きく、ＶＢＲ−ＭＡＸより小さい。この場合、未割当てチャネル時間が十分大きくないため、ＶＢＲ−ＭＡＸのデータレートを有するデータ４２０は収容できない。一方、ＶＢＲ−ｍｉｎのデータレートを有するデータは、未割当てチャネル時間がＶＢＲ−ｍｉｎより大きいため、送信できる。したがって、未割当てチャネル時間内に収まるデータ情報が選択される。未割当てチャネル時間はＶＢＲ−ｍｉｎより大きいので、未割当てチャネル時間内に収まるデータ情報が存在し得る。
【００４３】
上記のように、以前の未割当てチャネル時間部分をすべて使うとき、残った未割当てチャネル時間はなくなる。
【００４４】
図５は、要求された情報用のＶＢＲ−ｍｉｎが未割当てチャネル時間より大きい場合を示した図である。
【００４５】
図５を参照すると、未割当てチャネル時間はＶＢＲ−ｍｉｎのデータレートを有する情報を収容することができない。したがって要求された情報は拒否される。
【００４６】
図６は、複数の無線機器がＶＢＲ情報の送信を要求する場合を示した図である。
【００４７】
図６を参照すれば、未割当てチャネル時間６１０で第１情報（情報Ａ）をＶＢＲ−ＭＡＸのデータレートで送信できるとき、前述した過程が採用される。
【００４８】
残った未割当てチャネル時間６２０で第２情報（情報Ｂ）をＶＢＲ−ＭＡＸのデータレートで送信できるとき、双方の要求が満たされた後、図６に示した未割当てチャネル時間６３０ができる。
【００４９】
図７及び図８は、未割当てチャネル時間内で二つの異なる情報要求を送信する過程を示した図である。
【００５０】
図７を参照すると、第１情報（情報Ａ）がＶＢＲ−ＭＡＸのデータレートで未割当てチャネル時間に収容された後、残りの未割当てチャネル時間は第２情報（情報Ｂ）に対してＶＢＲ−ｍｉｎより小さいデータレートしか許容できない。したがって、残りの未割当てチャネル時間が十分でないので、第２情報は収容できない。
【００５１】
この場合、図８を参照すると、第１情報（情報Ａ）が確保した区間を減らすことができる。特に、情報Ａがチャネル時間を割り当てられている状況で、情報Ｂに対する要求が受信された場合、残りの未割当てチャネル時間がＶＢＲ−ｍｉｎの情報Ｂを許容できないときは、情報Ａに割り当てられたチャネル時間を減らして情報Ｂを収容する余地を作る。このようにＶＢＲ−ＭＡＸの情報Ａ用区間をＶＢＲ−ｍｉｎの第１情報（情報Ａ）用区間に減らすことによって、残りの未割当てチャネル時間にＶＢＲ−ｍｉｎの第２情報（情報Ｂ）が収容できる。このようにして情報Ｂが収容できないときは、第２情報（情報Ｂ）のデータ送信を拒否するのが望ましい。
【００５２】
上記の場合、第１情報（情報Ａ）に割り当てられたチャネル時間が減少するので、次のビーコン信号で、当該情報用に以前に割り当てられたチャネル時間が減少したことを通知してもよい。
【００５３】
上述のチャネル時間割当て過程を、２より多い情報の組を含むように修正してもよい。十分な未割当てチャネル時間があるときは、複数組の情報を収容することができる。
【００５４】
図９は、第２情報要求が拒否される場合を示した図である。
【００５５】
図９を参照すれば、第１情報（情報Ａ）が未割当てチャネル時間の一部を占有している状況で、第２情報（情報Ｂ）要求が受信される。このとき、第１情報（情報Ａ）及び第２情報（情報Ｂ）双方をＶＢＲ−ｍｉｎにしても未割当てチャネル時間が不足するとき、情報Ｂ用の十分な時間がない。したがって第２情報は拒否されて、第１情報（情報Ａ）が元々割り当てられたチャネル時間を占有し続ける。
【００５６】
一方、第２情報に対する要求が拒否された場合に、要求を繰り返して第２情報用の時間要求を調整することができる。
【００５７】
等時性情報に関しては、所定数のビーコンをスキップしてもよい。以前の情報に割り当てられたチャネル時間が変更されたという情報を失わないようにするため、スキップできるビーコン数に上限を設定してもよい。この場合、対応する最大スキップ回数を超過したとき、機器はビーコン信号を要求してもよい。
【００５８】
未割当てチャネル時間に複数の情報要求が行われたとき、最高優先度の情報要求に未割当てチャネル時間を使用する最初の機会を与えるために、コーディネータは優先度情報を取得し利用する。未割当てチャネル時間がまだ利用できるときは、可能であれば次に高い優先度の情報が収容される。
【００５９】
図１０は、本発明の一実施形態によるコーディネータを示したブロック図である。
【００６０】
図１０を参照すれば、コーディネータは、タイマ１０と、通信モジュール２０と、ビーコン管理ユニット３０と、ＶＢＲ情報管理ユニット４０と、コントローラ８０と、を含むことができる。
【００６１】
タイマ１０はビーコン区間の開始及び終了を示す。さらに、タイマ１０はビーコン区間内の時間情報を提供する。
【００６２】
通信モジュール２０は、機器とコーディネータとの間で情報信号を用いてデータの送受信を行う。
【００６３】
ビーコン管理ユニット３０は、ビーコン信号を管理する。この場合、ビーコン管理ユニット３０はほかの機器に情報を提供するビーコン信号を生成する。例えば、ビーコン信号は、データ通信のためのチャネル時間の割り当て情報、ＶＢＲ情報チャネル時間の割り当て情報、などのようなスケジュール情報を含む。
【００６４】
ＶＢＲ情報管理ユニット４０は、未割当てチャネル時間決定ユニット５０と、ＶＢＲ情報決定ユニット６０と、ＶＢＲ情報割り当てユニット７０と、を含むことができる。
【００６５】
未割当てチャネル時間決定ユニット５０は、機器からＶＢＲ情報チャネル時間割当て要求を受信したとき、ビーコン区間内に未割当てチャネル時間が存在するか否かを判断する。
【００６６】
機器が未割当て情報チャネル時間を要求するとき、上記要求内にＶＢＲ−ＭＡＸ値及びＶＢＲ−ｍｉｎ値双方を含めてもよい。このとき、ＶＢＲ情報決定ユニット６０は、未割当てチャネル時間と要求されたＶＢＲ−ＭＡＸ値又はＶＢＲ−ｍｉｎ値との関係を考慮し、適正なＶＢＲ情報チャネル時間を計算して決定する。
【００６７】
特に、前述のとおり、未割当てチャネル時間が要求されたＶＢＲ−ＭＡＸ値より大きいときは、ＶＢＲ情報決定ユニット６０はＶＢＲ−ＭＡＸ値を割り当てる。また、未割当てチャネル時間がＶＢＲ−ＭＡＸ値より小さいがＶＢＲ−ｍｉｎ値より大きいときは、ＶＢＲ情報決定ユニット６０はＶＢＲ−ｍｉｎ値を割り当てることが望ましいかどうか判断することができる。また、未割当てチャネル時間がＶＢＲ−ｍｉｎ値より小さいとき、ＶＢＲ情報決定ユニット６０は要求を拒否することが望ましいかどうか判断することができる。
【００６８】
ＶＢＲ情報割り当てユニット７０は、ＶＢＲ情報決定ユニット６０から導出された適正なＶＢＲ情報チャネル時間を基準に実際のＶＢＲチャネル時間を割り当てる。
【００６９】
コントローラ８０は、機器からＶＢＲ情報チャネル時間要求を受信したとき、ＶＢＲ情報管理ユニット４０の分析及び判断を考慮し、適切なチャネル時間を示すビーコン信号をビーコン管理ユニット３０が送信するよう制御する。
【００７０】
本明細書ではビーコン管理ユニット３０及びＶＢＲ情報管理ユニット４０をコントローラ８０と別個の構成要素として記載しているが、コントローラ８０がビーコン管理ユニット３０及びＶＢＲ情報管理ユニット４０の機能を実行してもよいことを理解されたい。
【００７１】
図１１は、本発明の一実施形態による機器のブロック図である。
【００７２】
図１１を参照すれば、機器は、タイマ９０と、通信モジュール１００と、ＶＢＲ情報管理ユニット１１０と、コントローラ１４０と、を含む。
【００７３】
タイマ９０は、ビーコン区間の開始及び終了を示す。さらに、タイマ９０はビーコン区間内の時間情報を提供する。
【００７４】
通信モジュール１００は、機器と、ほかの機器と、及び／又はコーディネータとの間で情報信号を用いてデータの送受信を行う。
【００７５】
ＶＢＲ情報管理ユニット１１０は、ＶＢＲ情報要求送信ユニット１２０及びＶＢＲ情報要求ユニット１３０を含むことができる。ＶＢＲ情報要求ユニット１３０は、ＶＢＲ情報最大チャネル時間及びＶＢＲ情報最小チャネル時間を決定する。ＶＢＲ情報要求伝送ユニット１２０は、ＶＢＲ情報要求ユニット１３０で決められたＶＢＲ情報チャネル時間を、通信モジュール１００を通じてコーディネータに送信する。
【００７６】
コントローラ１４０は、ＶＢＲ情報管理ユニット１１０を制御し、必要なＶＢＲ情報チャネル時間値を決定する。コントローラ１４０は、決定したＶＢＲ情報チャネル時間を、通信モジュール１００を通じてコーディネータに送信することによって、ＶＢＲ情報チャネル時間を制御する。コントローラ１４０は、割り当てられたＶＢＲ情報チャネル時間でＶＢＲ情報が送信されるように制御する。
【００７７】
本明細書ではＶＢＲ情報管理ユニット１１０をコントローラ１４０と別個の構成要素として記載しているが、コントローラ１４０がＶＢＲ情報管理ユニット１１０の機能を実行してもよいことを理解されたい。
【産業上の利用可能性】
【００７８】
したがって、本発明はビーコン区間内に存在する未割当てチャネル時間にＶＢＲ情報を割り当てる方式に関し、指向性があるビームリンク信号を使うｍｍＷａｖｅのようなシステムなどに適用できる。
【００７９】
本発明は図面に示された一実施の形態を参照にして説明し、図示した。しかし、当該分野で通常の知識を有する者であれば、本発明の精神及び範囲から逸脱することなく、多様な修正物及び変形が可能であることは明白である。したがって、本発明は、本願の特許請求の範囲の記載から派生する修正物及び変形、並びに均等物を含むものとする。
【符号の説明】
【００８０】
１０    タイマ
２０    通信モジュール
３０    ビーコン管理ユニット
４０    ＶＢＲ情報管理ユニット
５０    未割当てチャネル時間決定ユニット
６０    ＶＢＲ情報決定ユニット
７０    ＶＢＲ情報割り当てユニット
８０    コントローラ
９０    タイマ
１００    通信モジュール
１１０    ＶＢＲ情報管理ユニット
１２０    ＶＢＲ情報要求送信ユニット
１３０    ＶＢＲ情報要求ユニット
１４０    コントローラ
【図１】
0005580308.tif 000002
【図２】
0005580308.tif 000003
【図３】
0005580308.tif 000004
【図４】
0005580308.tif 000005
【図５】
0005580308.tif 000006
【図６】
0005580308.tif 000007
【図７】
0005580308.tif 000008
【図８】
0005580308.tif 000009
【図９】
0005580308.tif 000010
【図１０】
0005580308.tif 000011
【図１１】
0005580308.tif 000012